(57)【特許請求の範囲】
【請求項１】
放送搬送波の周波数に同調する同調部と、
前記同調部が同調した周波数における放送搬送波信号の信号レベルを検出する検出部と、
第１の周波数に前記同調部を同調させて前記検出部によって検出された第１の信号レベル、及び第２の周波数に前記同調部を同調させて前記検出部によって検出された第２の信号レベル及び第３の周波数に前記同調部を同調させて前記検出部によって検出された第３の信号レベルに基づいて、ハイブリッド放送搬送波を検出する制御部と、を有し、
前記第１の周波数、前記第２の周波数及び前記第３の周波数は、所定周波数間隔で設定されており、
前記制御部は、前記第１の信号レベル又は前記第３の信号レベルと、前記第２の信号レベルとの差が、予め定められたレベル差とほぼ等しい場合に、ハイブリッド放送搬送波を検出したと判断する、
ことを特徴とするラジオ受信機。
【請求項２】
前記制御部は、前記第１の信号レベルと、前記第２の信号レベルと、前記第３の信号レベルとが予め定められたレベル以上の場合に、ハイブリッド放送搬送波を検出したと判断する、請求項１に記載のラジオ受信機。
【請求項３】
前記制御部は、前記第１の信号レベルと、前記第３の信号レベルとがほぼ等しい場合に、ハイブリッド放送搬送波を検出したと判断する、請求項１または２に記載のラジオ受信機。
【請求項４】
前記同調部及び前記検出部を複数組有し、
複数組の同調部及び検出部によって、異なる周波数に対する同調及び信号レベルの検出を行う、請求項１〜３の何れか一項に記載のラジオ受信機。
【請求項５】
放送搬送波の周波数に同調する同調部と、
前記同調部で同調した周波数における放送搬送波信号の信号レベルを検出する検出部と、
放送搬送波に含まれるデジタル放送搬送波からＳＩＳデータを生成する生成部と、
前記検出部によって検出される信号レベルが予め定められた信号レベル以上で、且つ前記生成部によってＳＩＳデータが生成される場合に、ハイブリッド放送搬送波を検出したと判断する制御部と、
を有することを特徴とするラジオ受信機。
【請求項６】
放送搬送波の周波数に同調する同調部と、
前記同調部で同調した周波数における放送搬送波信号の信号レベルを検出する検出部と、
放送搬送波に含まれるデジタル放送搬送波からデジタル放送に対応した音声データを生成する生成部と、
前記検出部によって検出される信号レベルが予め定められた信号レベル以上で、且つ前記生成部によって音声データが生成される場合に、ハイブリッド放送搬送波を検出したと判断する制御部と、
を有することを特徴とするラジオ受信機。
【請求項７】
第１の周波数に同調して第１の放送搬送波信号の信号レベルを検出し、
前記第１の周波数に対して所定周波数間隔だけ離れて設定された第２の周波数に同調して第２の放送搬送波信号の信号レベル、及び前記第２の周波数に対して前記所定周波数間隔だけ離れて設定された第３の周波数に同調して第３の放送搬送波信号の信号レベルを検出し、
前記第１の信号レベル又は前記第３の信号レベルと、前記第２の信号レベルとの差が、予め定められたレベル差とほぼ等しい場合に、ハイブリッド放送搬送波を検出したと判断する、
ステップを有することを特徴とする受信方法。
【請求項８】
放送搬送波の周波数に同調して放送搬送波信号の信号レベルを検出し、
前記信号レベルが予め定める信号レベル以上で、且つ放送搬送波に含まれるデジタル放送搬送波からＳＩＳデータが生成される場合に、ハイブリッド放送搬送波を検出したと判断する、
ステップを有することを特徴とする受信方法。
【請求項９】
放送搬送波の周波数に同調して放送搬送波信号の信号レベルを検出し、
前記信号レベルが予め定める信号レベル以上で、且つ放送搬送波に含まれるデジタル放送搬送波からデジタル放送に対応した音声データが生成される場合に、ハイブリッド放送搬送波を検出したと判断する、
ステップを有することを特徴とする受信方法。
【発明の詳細な説明】
【技術分野】
【０００１】
本発明は、ラジオ受信機に関し、特にＩＢＯＣ（In Band on Channel)方式のハイブリッド放送搬送波に対応したＨＤ（High Definition)ラジオ受信機に関するものである。
【背景技術】
【０００２】
ＩＢＯＣ方式のハイブリッド放送搬送波を採用した場合、アナログ放送搬送波にデジタル放送搬送波を追加することができるため、デジタル放送搬送波に対応したＨＤラジオではデジタル放送搬送波を利用して音質を向上させることが可能となる。なお、このようなＩＢＯＣ方式のハイブリッド放送搬送波におけるデジタル放送搬送波は、周波数帯域上でアナログ放送搬送波に隣接した両側に位置するよう配置されている（例えば、特許文献１、参照）。
【０００３】
しかしながら、全ての放送局がＩＢＯＣ方式のハイブリッド放送搬送波を同時に放送するとは限らないことから、特定のアナログ放送搬送波の両側にデジタル放送搬送波が追加されて放送されている場合と、アナログ放送搬送波のみが放送されている場合とが混在する状況が考えられる。このような状況で、ＨＤラジオ受信機がシーク（検索）動作を行うと、第１のアナログ放送搬送波と、第１のアナログ放送搬送波に隣接する第２のアナログ放送搬送波の両側に配置されたデジタル放送搬送波とが干渉し、誤検出が発生してしまうという不具合があった。
【０００４】
【特許文献１】特開２０００−４１７４号公報（図５、３頁）
【発明の開示】
【発明が解決しようとする課題】
【０００５】
そこで、本発明は、確実にＩＢＯＣ方式のハイブリッド放送搬送波を検出することを可能とするラジオ受信機及び受信方法を提供することを目的とする。
【課題を解決するための手段】
【０００６】
上記課題を解決するために、本発明に係るラジオ受信機は、放送周波数に同調可能な同調部と、同調部が同調した周波数における放送搬送波検出信号を生成する信号生成部と、第１の周波数に同調部を同調させて信号生成部から第１の放送搬送波検出信号を取得し、第２の周波数に同調部を同調させて信号生成部から第２の放送搬送波検出信号を取得し、第３の周波数に同調部を同調させて信号生成部から第３の放送搬送波検出信号を取得し、第１、第２及び第３の放送搬送波検出信号が放送搬送波の存在を示す場合に、ハイブリッド放送搬送波を検出したと判断する制御部とを有することを特徴とする。
【０００７】
また、本発明に係るラジオ受信機では、制御部は、さらに、第１の放送搬送波検出信号の信号レベルと第２の放送搬送波検出信号の信号レベルがほぼ等しい場合に、ＩＢＯＣ方式のハイブリッド放送搬送波を検出したと判断することが好ましい。ハイブリッド放送搬送波の検出精度を高めるためである。
【０００８】
さらに、本発明に係るラジオ受信機では、制御部は、さらに、第２の放送搬送波検出信号の信号レベルと、第１又は第３の放送搬送は検出信号の信号レベルとの差が、予め定められたレベル差とほぼ等しい場合に、ハイブリッド放送搬送波を検出したと判断することが好ましい。ハイブリッド放送搬送波の検出精度をさらに高めるためである。
【０００９】
さらに、本発明に係るラジオ受信機では、第１、第２及び第３の周波数は、所定の周波数間隔に設定された、隣接する３つのチャネルに対応することが好ましい。
【００１０】
さらに、本発明に係るラジオ受信機では、同調部及び信号生成部を複数組有することが好ましい。シーク動作を行う場合に、隣接するチャネルにおいて、同調動作と信号レベル検出を同時に行うことによって、シーク動作の高速化を図るものである。
【００１１】
上記課題を解決するために、本発明に係るラジオ受信機は、放送周波数に同調可能な同調部と、同調部が同調した周波数における放送搬送波検出信号を生成する信号生成部と、放送搬送波に含まれるデジタル放送搬送波からＳＩＳデータを生成するためのデータ生成部と、同調部を同調させて信号生成部から放送搬送波検出信号を取得し、放送搬送波検出信号が放送搬送波の存在示し且つデータ生成手段がＳＩＳデータを生成する場合に、ハイブリッド放送搬送波を検出したと判断する制御部を有することを特徴とする。ＳＩＳデータが生成されている場合には、デジタル放送搬送波に同調したと判断することとしたものである。
【００１２】
上記課題を解決するために、本発明に係るラジオ受信機は、放送周波数に同調可能な同調部と、同調部が同調した周波数における放送搬送波検出信号を生成する信号生成部と、放送搬送波に含まれるデジタル放送搬送波からデジタル放送に対応した音声データを生成する音声データ生成部と、同調部を同調させて信号生成部から放送搬送波検出信号を取得し、放送搬送波検出信号が放送搬送波の存在示し且つ音声データ生成部が音声データを生成する場合に、ハイブリッド放送搬送波を検出したと判断する制御部を有することを特徴とする。デジタル放送に対応した音声データを生成している場合には、デジタル放送搬送波に同調したと判断することとしたものである。
【００１３】
上記課題を解決するために、本発明に係る受信方法では、第１の周波数に同調部を同調させて信号生成部から第１の放送搬送波検出信号を取得し、第２の周波数に同調部を同調させて信号生成部から第２の放送搬送波検出信号を取得し、第３の周波数に同調部を同調させて信号生成部から第３の放送搬送波検出信号を取得し、第１、第２及び第３の放送搬送波検出信号が放送搬送波の存在を示す場合にハイブリッド放送搬送波を検出したと判断するステップを有することを特徴とする。隣接する３チャネルに放送搬送波が存在する場合に、ハイブリッド放送搬送波であると判断するように構成した。
【００１４】
上記課題を解決するために、本発明に係る受信方法では、第１の周波数に同調部を同調させて信号生成部から第１の放送搬送波検出信号を取得し、第２の周波数に同調部を同調させて信号生成部から第２の放送搬送波検出信号を取得し、第３の周波数に同調部を同調させて信号生成部から第３の放送搬送波検出信号を取得し、第１の放送搬送波検出信号の信号レベルと第２の放送搬送波検出信号の信号レベルとを比較し、第１、第２及び第３の放送搬送波検出信号が放送搬送波の存在を示し、且つ第１の放送搬送波検出信号の信号レベルと第２の放送搬送波検出信号の信号レベルとがほぼ等しい場合に、ハイブリッド放送搬送波を検出したと判断するステップを有することを特徴とする。隣接する３チャネルに放送搬送波が存在し且つ第１の信号レベルと第３の信号レベルがほぼ等しい場合に、ハイブリッド放送搬送波であると判断するように構成した。
【００１５】
上記課題を解決するために、本発明に係る受信方法では、同調部及び同調部が同調した周波数における放送搬送波検出信号を生成する信号生成部を有するラジオ受信機における受信方法において、第１の周波数に同調部を同調させて信号生成部から第１の放送搬送波検出信号を取得し、第２の周波数に同調部を同調させて信号生成部から第２の放送搬送波検出信号を取得し、第３の周波数に同調部を同調させて信号生成部から第３の放送搬送波検出信号を取得し、第１の放送搬送波検出信号の信号レベルと第２の放送搬送波検出信号の信号レベルとを比較し、第２の放送搬送波検出信号の信号レベルと、第１又は第３の放送搬送は検出信号の信号レベルとを比較し、第１、第２及び第３の放送搬送波検出信号が放送搬送波の存在を示し、且つ第１の放送搬送波検出信号の信号レベルと第２の放送搬送波検出信号の信号レベルとがほぼ等しく、且つ第２の放送搬送波検出信号の信号レベルと第１又は第３の放送搬送は検出信号の信号レベルとの差が予め定められたレベル差とほぼ等しい場合に、ハイブリッド放送搬送波を検出したと判断するステップを有することを特徴とする。隣接する３チャネルに放送搬送波が存在し、且つ第１の信号レベルと第３の信号レベルがほぼ等しく、且つ第２の信号レベルと第１又は第３の信号レベルとの差が所定のレベル差とほぼ等しい場合に、ハイブリッド放送搬送波であると判断するように構成した。
【００１６】
上記課題を解決するために、本発明に係る受信方法では、同調部を同調させて信号生成部から放送搬送波検出信号を取得し、放送搬送波に含まれるデジタル放送搬送波からＳＩＳデータを生成するためのデータ生成部からの出力を検出し、放送搬送波検出信号が放送搬送波の存在示し且つデータ生成手段がＳＩＳデータを生成する場合に、ハイブリッド放送搬送波を検出したと判断するステップを有することを特徴とする。
【００１７】
上記課題を解決するために、本発明に係る受信方法では、同調部を同調させて信号生成部から放送搬送波検出信号を取得し、放送搬送波に含まれるデジタル放送搬送波からデジタル放送に対応した音声データを生成する音声データ生成部からの出力を検出し、放送搬送波検出信号が放送搬送波の存在示し且つ音声データ生成部が音声データを生成する場合に、ハイブリッド放送搬送波を検出したと判断するステップを有することを特徴とする。
【発明の効果】
【００１８】
本発明に係るラジオ受信機及び受信方法によれば、ＩＢＯＣ方式のハイブリッド放送搬送波の特徴的構成を認識してその検出を行うので、ＩＢＯＣ方式のハイブリッド放送搬送波を確実且つ正確に検出することが可能となる。
【００１９】
また、複数組の同調部及び信号生成部を有するラジオ受信機及び受信方法では、シーク動作時間を短縮することが可能となる。
【発明を実施するための最良の形態】
【００２０】
以下図面を参照して、本発明に係るラジオ受信機及び受信方法について説明する。
【００２１】
図１は、本発明に係わるラジオ受信機の概要を示す図である。
【００２２】
ラジオ受信機１は、前処理部２０、ＩＦ（Intermediate Frequency）フィルタ回路３０、デジタル信号処理部４０、ＩＢＯＣ処理部５０、ＣＰＵ等から構成される制御部６０、ＲＡＭ、ＲＯＭ及び／または各種メモリ等から構成される記憶部７０、及び操作部８０等から構成され、アンテナ１０及びスピーカ等から構成される音声出力部９０と接続されている。
【００２３】
前処理部２０は、アンテナ１０からの信号を受信する電子同調方式の同調回路２１、ＲＦ（Radio Frequency）増幅回路２２、ＲＦ−ＡＧＣ（Auto Gain Control）回路２３、第１混合回路２４、第１局所発振回路２５及びＰＬＬ選局回路２６等から構成され、制御部６０によって制御される。ＲＦ増幅回路２２は、ＲＦ−ＡＧＣ回路２３によってゲイン調整がなされるように構成され、ＲＦ−ＡＧＣ回路２３からのＳレベル信号（電界状態を示す信号）が後述するＩＢＯＣ方式のデジタル放送搬送波の検出に利用される。第１局所発振回路２５は、ＰＬＬシンセサイザ方式で、制御部６０からの制御信号に応じてＰＬＬ選局回路２６から供給されるＰＬＬ制御信号に従い、所定の周波数ステップで第１局所発振信号を生成する。ＲＦ増幅回路２２で増幅された高周波の受信信号は第１混合回路２４で第１局所発振信号と混合されて中間周波数信号に変換され、ＩＦフィルタ回路３０に入力される。
【００２４】
ＩＦフィルタ回路３０は、約１００ＫＨｚの帯域幅を有するＢＰＦ（band Pass Filter）であるＮＦ３１と、約４００ＫＨｚの帯域幅を有するＢＰＦであるＷＦ３２を含み、制御部６０からの制御信号によって切換制御される。ＮＦ３１及びＷＦ３２では、入力された中間周波数信号の中心周波数に対して所定の帯域に含まれる成分を抽出する。ＮＦ３１及びＷＦ３２の通過帯域の例を図４に示す。
【００２５】
デジタル信号処理部４０は、ＩＦ増幅回路４１、第２混合回路４４、第２局所発振回路４３、Ａ／Ｄ変換回路４２、ＩＦプロセッサ回路４５、ＩＦ−ＡＧＣ回路４６、切換回路４７及びＤ／Ａ変換回路４８等から構成され、制御部６０によって制御される。
【００２６】
ＩＦフィルタ回路３０を通過したＩＦ周波数信号は、ＩＦ増幅回路４１で増幅され、Ａ／Ｄ変換回路４２においてデジタル信号に変換されて、第２局所発振回路４３から出力される第２局所発振信号と第２混合回路４４において混合され、ＩＦプロセッサ回路４５に入力される。ＩＦプロセッサ回路４５は、アナログ放送搬送波用の復調器を兼用しており、信号がアナログ放送搬送波の場合には、デコードされた音声信号を切換回路４７に出力し、入力されたデジタル放送搬送波の信号はその信号をＩＢＯＣ処理部５０に出力する。また、ＩＦ増幅回路４１は、ＩＦ−ＡＧＣ回路４６によってゲイン調整がなされるように構成されている。
【００２７】
ＩＢＯＣ処理部５０は、復調部５１及びチャンネルデコーダ５２等から構成され、制御部６０によって制御される。復調部５１は、デジタル放送搬送波に含まれるＯＦＤＭ（直交周波数分割変調）副搬送波を復調する機能を有している。復調された信号が音声信号の場合には、チャンネルデコーダ５２によって音声信号が生成され、切換回路４７に出力される。また、復調された信号にＳＩＳデータ（テキストデータや映像データ）が含まれる場合には、不図示の専用デコーダによってテキストデータや映像データが生成され、記憶部７０に記憶される。記憶されたテキストデータや映像データは、表示部（不図示）に所定のタイミングで表示等される。なお、テキストデータや映像データが生成されている場合には、現在復調されている放送波がデジタル放送搬送波であると判別することもできる。
【００２８】
制御部６０は、アナログ放送搬送波からデコードされた音声信号又はデジタル放送搬送波からデコードされた音声信号の何れか一方を選択するように切換回路４７を制御する。切換回路４７によって選択された音声信号は、Ｄ／Ａ変換回路４８によってアナログ信号に変換されて、車載スピーカ等の出力手段９０に出力される。
操作部８０は、チューニング用、ボリューム設定用等の各種ボタンやつまみを含む。また、操作部８０には、少なくとも上向き（周波数が増加する方向）シーク用ボタン及び下向き（周波数が減少する方向）シーク用ボタンを含むものとする。
【００２９】
図２は、ＩＢＯＣ方式のハイブリッド放送搬送波の形態を示した図である。図２（ａ）はＦＭ波の例を示し、図２（ｂ）はＡＭ波の例を示している。
【００３０】
図２（ａ）に示すように、アナログ放送搬送波（ＦＭアナログ信号）２０１の周波数帯域上の上側帯及び下側帯に隣接して、それぞれデジタル放送搬送波２０２及び２０３が配置されている。デジタル放送搬送波２０２及び２０３は、例えば、ＯＦＤＭ変調された複数の副搬送波から構成され、図示されるように、ＦＭアナログ信号の中心周波数から１３０ｋＨｚ〜１９９ｋＨｚ及び−１３０ｋＨｚ〜−１９９ｋＨｚ離れたスペクトルを占領している。さらに、デジタル放送搬送波２０２及び２０３のピーク値は、ＦＭアナログ信号のピーク値に対して−２５ｄＢ／ｋＨｚに設定されている。
【００３１】
図２（ｂ）に示すように、アナログ放送搬送波（ＡＭアナログ信号）２１１の周波数帯域上の上側帯及び下側帯に隣接して、それぞれデジタル放送搬送波２１２及び２１３が配置されている。デジタル放送搬送波２１２及び２１３は、例えば、ＯＦＤＭ変調された複数の副搬送波から構成され、図示されるように、ＡＭアナログ信号の中心周波数から５ｋＨｚ〜１５ｋＨｚ及び−５ｋＨｚ〜−１５ｋＨｚ離れたスペクトルを占領している。さらに、ＩＢＯＣデジタル放送搬送波２１２及び２１３のピーク値は、ＡＭアナログ信号のピーク値に対して−２５ｄＢ／ｋＨｚに設定されている。
【００３２】
アナログ放送のみが行われる時に、アナログ放送搬送波のみが、所定の間隔で周波数帯域上に存在することとなる。しかしながら、アナログ放送搬送波とＩＢＯＣ方式のハイブリッド放送搬送波が混在等する時に、ＨＤラジオ受信機がシーク動作を行う場合には、デジタル放送搬送波と、他のアナログ放送搬送波又はデジタル放送搬送波が近接することとなり、正確に放送搬送波を受信できなくなる可能性がある。
【００３３】
図３は、上記のような不具合を解決するための本発明に係る受信方法のフローを示した図である。
【００３４】
受信フローは、予め図１に示すラジオ受信機１の制御部６０等に記憶されたプログラムに従って、主に制御部６０が各構成要素を共同して実行されるものとする。図３に示すフローが実行される時点において、ラジオ受信機１の電源はＯＮされ、各構成要素は動作可能な状態に維持されているものとする。
【００３５】
この処理は、ユーザによる操作部８０の所定ボタン（例えば、上向きシーク用又は下向きシーク用ボタン）の操作によって開始される（Ｓ３０１）。
【００３６】
制御部６０は、シーク動作の開始指示を受けて、前処理部２０を制御し、所定周波数ステップ分（例えば２００ＫＨｚ）だけ同調周波数をＵＰさせ、その周波数（Ｆ１）での同調動作を行う（Ｓ３０２）。また、制御部６０は、ＩＦフィルタ回路３０を制御して、ＮＦ３１を利用できるように切換えを行う。さらに、制御部６０は、ＲＦ−ＡＧＣ回路２３からＳレベル信号を取得して放送搬送波が存在するか否かの判断を行う（Ｓ３０３）。放送搬送波が存在するか否かはＳレベル信号の信号レベル等によって判断する。放送搬送波が存在しない（ヒットしない）と判断した場合には、Ｓ３０２に戻り、再度所定周波数ステップ分だけ同調周波数をＵＰさせて、以後の動作を繰り返す。
【００３７】
Ｓ３０３において、放送搬送波が存在する（ヒット）と判断された場合には、制御部６０は、その時点のＳレベル信号の信号レベル（Ｓ１）を記憶部７０に記憶する（Ｓ３０４）。
【００３８】
次に、制御部６０は、さらに所定周波数ステップ分だけ同調周波数をＵＰさせ、その周波数（Ｆ２）での同調動作を行う（Ｓ３０５）。また、制御部６０は、ＩＦフィルタ回路３０を制御して、ＮＦ３１を利用できるように切換えを行う。さらに、制御部６０は、ＲＦ−ＡＧＣ回路２３からＳレベル信号を取得して放送搬送波が存在するか否かの判断を行う（Ｓ３０６）。放送搬送波が存在しない（ヒットしない）と判断した場合には、Ｓ３０２に戻り、再度所定周波数ステップ分だけ同調周波数をＵＰさせて、以後の動作を繰り返す。
【００３９】
Ｓ３０６において、放送搬送波が存在する（ヒット）と判断された場合には、制御部６０は、その時点のＳレベル信号の信号レベル（Ｓ２）を記憶部７０に記憶する（Ｓ３０７）。
【００４０】
次に、制御部６０は、さらに所定周波数ステップ分だけ同調周波数をＵＰさせ、その周波数（Ｆ３）での同調動作を行う（Ｓ３０８）。また、制御部６０は、ＩＦフィルタ回路３０を制御して、ＮＦ３１を利用できるように切換えを行う。さらに、制御部６０は、ＲＦ−ＡＧＣ回路２３からＳレベル信号を取得して放送搬送波が存在するか否かの判断を行う（Ｓ３０９）。放送搬送波が存在しない（ヒットしない）と判断した場合には、Ｓ３０２に戻り、再度所定周波数ステップ分だけ同調周波数をＵＰさせて、以後の動作を繰り返す。
【００４１】
Ｓ３０９において、放送搬送波が存在する（ヒット）と判断された場合には、制御部６０は、その時点のＳレベル信号の信号レベル（Ｓ３）を記憶部７０に記憶する（Ｓ３１０）。
【００４２】
次に、制御部６０は、記憶部７０に記憶されているＳ１とＳ３を比較し、Ｓ１とＳ３との信号レベル値がほぼ等しいか否かの判断を行う（Ｓ３１１）。前述したように、ＩＢＯＣ方式のハイブリッド放送搬送波の場合、デジタル放送搬送波の信号レベルはほぼ等しいので、Ｓ１とＳ３の信号レベル値が大きく異なる場合には、ＩＢＯＣ方式のハイブリッド放送搬送波ではないと判断し、Ｓ３０２に戻って、以後の動作を繰り返す。
【００４３】
Ｓ３１１でＳ１とＳ３との信号レベル値がほぼ等しいと判断された場合には、次に、Ｓ２とＳ１（又はＳ３）との信号レベルの差がほぼ２５ｄＢ／ｋＨｚに相当するか否かが判断される（Ｓ３１２）。前述したように、ＩＢＯＣ方式のハイブリッド放送搬送波の場合、アナログ放送搬送波とデジタル放送搬送波とのレベル差は、ほぼ２５ｄＢ／ｋＨｚに設定されているため、Ｓ２とＳ１（又はＳ３）との信号レベルの差が２５ｄＢ／ｋＨｚと異なる場合には、ＩＢＯＣ方式のハイブリッド放送搬送波ではないと判断し、Ｓ３０２に戻って、以後の動作を繰り返す。
【００４４】
Ｓ３１２でＳ２とＳ１（又はＳ３）との信号レベルの差がほぼ２５ｄＢ／ｋＨｚと判断された場合には、制御部６０は、ＩＢＯＣ方式のハイブリッド放送搬送波を検出した認識する（Ｓ３１３）。また、制御部６０は、ＩＦフィルタ回路３０を制御して、ＷＦ３２を利用できるように切換えを行う。さらに、制御部６０は、デジタル放送搬送波に同調し（Ｆ１又はＦ３）（Ｓ３１４）、デジタル放送搬送波の部分のＯＦＤＭ副搬送波をＩＢＯＣ処理部５０においてデコードし、音声信号を出力するように切換回路４７を制御する。これによって、ＩＢＯＣ方式のハイブリッド放送搬送波に確実に同調して、高品質な音声出力を提供することが可能となる。
【００４５】
図４は、ＩＢＯＣ方式のハイブリッド放送搬送波と同調周波数Ｆ１〜Ｆ３及び信号レベルＳ１〜Ｓ３との関係を示す図である。
【００４６】
図４において、矢印Ａは上向きシーク動作の方向（周波数を増加させる方向）を示しており、前述したように、アナログ放送搬送波４０１に隣接する上側及び下側にデジタル放送搬送波４０２及び４０３が配置されている。同調周波数Ｆ１とＦ２との差、又はＦ２とＦ３との差が所定周波数ステップ分（ｆ：例えば２００ＫＨｚ）に相当する。また、４０４は、ラジオ受信機１のＩＦフィルタ回路３０のＮＦ３１の通過帯域幅を示し、４０５はＷＦ３２の通過帯域幅を示している。
【００４７】
本実施形態に係る受信方法では、隣接する３つの所定周波数ステップ（隣接３チャネル）において、それぞれ放送搬送波が存在するか否かの判断を行った（図３のＳ３０３、ｓ３０６及びＳ３０９）。しかしながら、３つのＳレベル信号を記憶した後に、一度に判断するようにしても良い。
【００４８】
また、本実施形態に係る受信方法では、図３のＳ３０９において放送搬送波が存在すると判断された場合でも、さらにＳ３１１及びＳ３１２の判断を継続した。しかしながら、隣接３チャネルにおいて放送搬送波が存在する場合には、図４に示すようなＩＢＯＣ方式のハイブリッド放送搬送波である可能性が高いと判断することができる。したがって、簡易にＩＢＯＣ方式のハイブリッド放送搬送波であるか否かを判別したい場合には、図３のＳ３１１及びＳ３１２のステップを省略しても良い。
【００４９】
さらに、本実施形態に係る受信方法では、図３のＳ３１１においてＳ１とＳ３との信号レベルがほぼ等しい場合にも、さらにＳ３１２の判断を継続した。しかしながら、隣接３チャネルにおいて放送搬送波が存在し且つＳ１とＳ３との信号レベルがほぼ等しい場合には、図４に示すようなＩＢＯＣ方式のハイブリッド放送搬送波である可能性がさらに高いと判断することができる。したがって、図３のＳ３１２のステップを省略しても良い。
【００５０】
さらに、本実施形態に係る受信方法では、ラジオ受信機１は１組の前処理部２０のみによって、同調及びＳレベル信号値の検出などの処理を行った。しかしながら所定周波数ステップ毎における処理に時間がかかることから、複数組の前処理部２０を有し、１組で同調処理中に、他の組でＳレベル信号の検出等を行うように構成することもできる。このように複数組の前処理部２０を有することによって、シーク動作の検出スピードを上げることが可能となる。
【００５１】
本実施形態では、前述したように、少なくとも、隣接３チャネルにおいて放送搬送波が存在することを条件として、ＩＢＯＣ方式のハイブリッド放送搬送波の検出判断を行った。しかしながら、ＩＢＯＣ処理部５０のチャンネルデコーダ５２からデジタル放送搬送波に対応する音声信号が出力された場合には、現在同調している放送搬送波はデジタル放送搬送波（図４の４０２又は４０３の何れか一方）であると判断できる。したがって、より簡易にＩＢＯＣ方式のハイブリッド放送搬送波の検出を行う場合には、図３の受信フローではなく、制御部６０がＩＢＯＣ処理部５０のチャンネルデコーダ５２の出力を検出して、ＩＢＯＣ方式のハイブリッド放送搬送波が検出されたか否かの判断を行うことも可能である。
【００５２】
さらに、前述したように、ＩＢＯＣ処理部５０が、不図示のＳＩＳデータ（テキストデータ又は映像データ）を出力するためのＳＩＳデータ用のデコーダを有する場合には、ＳＩＳデータが出力された場合には、現在同調している放送搬送波はデジタル放送搬送波（図４の４０２又は４０３の何れか一方）であると判断できる。したがって、より簡易にＩＢＯＣ方式のハイブリッド放送搬送波の検出を行う場合には、図３の受信フローではなく、制御部６０がＳＩＳデータ用のデコーダの出力を検出して、ＩＢＯＣ方式のハイブリッド放送搬送波が検出されたか否かの判断を行うことも可能である。
【図面の簡単な説明】
【００５３】
【図１】本発明に係るラジオ受信機の概略構成を示すブロック図である。
【図２】ＩＢＯＣ方式のハイブリッド放送搬送波を示す図である。
【図３】本発明に係る受信方法を示すフロー図である。
【図４】シーク動作を説明するための図である。
【符号の説明】
【００５４】
１    ラジオ受信機
１０    アンテナ
２０    前処理部
３０    ＩＦフィルタ回路
４０    デジタル処理部
５０    ＩＢＯＣ処理部
６０    制御部
７０    記憶部
８０    操作部
９０    音声出力部
【図１】
0004488983.tif 000002
【図２】
0004488983.tif 000003
【図３】
0004488983.tif 000004
【図４】
0004488983.tif 000005